(57)【要約】      （修正有）【課題】文字などの所定の字形の色と背景色との輝度差が小さい場合でも、多階調により滑らかに表示された字形が視認しやすい字形のレンダリング装置および表示装置を提供する。【解決手段】文字などの字形のレンダリング装置１は、背景色の上に多階調の色付きの字形を表示するフォントイメージデータF_IMを生成するために、字形の階調データとして、字形の階調データGEM_Cを生成する字形階調データ生成部２６と、字形階調データ生成部が生成した字形の階調データGEM_Cの階調値を、字形を強調するように調整し、字形階調データ生成部が生成した字形の階調データGEM_Cとは異なる階調値の画素を含む字形の階調データCVT_Cを生成する階調調整部２７と、字形の色および背景色を用いて、階調調整部により階調が調整された字形の階調データCVT_Cから、フォントイメージデータF_IMを生成するフォントイメージ生成部２９とを有する。【選択図】図３
2010191224.tif 000002
【特許請求の範囲】
【請求項１】
背景色の上に多階調の色付き字形を表示するフォントイメージデータを生成する字形のレンダリング装置であって、
前記字形の階調データとして、複数の画素についての多階調の階調値を含む字形の階調データを生成する字形階調データ生成部と、
前記字形階調データ生成部が生成した前記字形の階調データの階調値を、前記字形を強調するように調整し、前記字形階調データ生成部が生成した前記字形の階調データとは異なる階調値の画素を含む字形の階調データを生成する階調調整部と、
前記字形の色および前記背景色を用いて、前記階調調整部により階調が調整された字形の階調データから、前記背景色の上に前記多階調の色付き字形を表示するフォントイメージデータを生成するフォントイメージ生成部と
を有する字形のレンダリング装置。
【請求項２】
前記階調調整部は、
前記字形階調データ生成部が生成した前記字形の階調データ中の、前記字形の色と前記背景色との間の中間色の階調値を、前記字形の色に近い色の階調値へ調整することで、字形を強調する
請求項１記載の字形のレンダリング装置。
【請求項３】
前記字形階調データ生成部は、
複数の画素中の字形部分の階調値が背景部分の階調値より大きい字形の階調データを生成し、
前記階調調整部は、
前記字形階調データ生成部が生成した前記字形の階調データ中の、所定の階調値より値が大きい階調値の値を増やすように階調値を調整することで、字形を強調する
請求項２記載の字形のレンダリング装置。
【請求項４】
前記階調調整部は、
前記字形階調データ生成部が生成した前記字形の階調データ中の、所定の階調値より値が小さい階調値の値を減らすように階調値を調整することで、字形を強調する
請求項３記載の字形のレンダリング装置。
【請求項５】
前記字形の色と前記背景色との輝度差を取得する輝度差取得部を有し、
前記階調調整部は、
前記輝度差が所定値以下に小さい場合に、前記字形階調データ生成部が生成した前記の字形階調データの階調値を調整する
請求項１から４のいずれか一項記載の字形のレンダリング装置。
【請求項６】
前記字形の階調データにおいて各画素が取り得る複数の階調値に対して、当該複数の階調値に含まれる他の階調値を非線形に対応付けた調整テーブルを記憶する記憶部を有し、
前記階調調整部は、
前記字形階調データ生成部により生成された字形の階調データの階調値を、前記調整テーブルにおいて当該階調値に対応付けられた前記他の階調値に置き換えることにより、階調値を調整する
請求項１から５のいずれか一項記載の字形のレンダリング装置。
【請求項７】
前記フォントイメージ生成部は、
前記字形の色の階調値と前記背景色の階調値との差を、前記字形の階調データにおいて各画素が取り得る階調値の個数より１少ない数により均しく分割して、前記字形の階調デーはタにおいて各画素が取り得る階調値の個数より２少ない数の複数の中間色の階調値を生成する中間色階調値生成部と、
前記背景色の階調値、前記複数の中間色の階調値および前記字形の色の階調値を、前記字形の階調データにおいて各画素が取り得る複数の階調値の順番に配列した色差分テーブルを生成する色差分テーブル生成部と、
前記字形の階調データに含まれる各画素の階調値を、前記色差分テーブルにおいて当該階調値の順番に対応付けられた色の階調値を選択して、前記色付き字形のフォントイメージデータを生成するデータ変換部と
を含む請求項１から６のいずれか一項記載の字形のレンダリング装置。
【請求項８】
前記背景色のデータおよび前記字形の色のデータは、複数の色成分の階調値を組み合わせたカラーデータであり、
前記フォントイメージ生成部は、前記字形の階調データを前記色成分毎に処理し、複数の色成分からなる前記フォントイメージデータを生成する
請求項７記載の字形のレンダリング装置。
【請求項９】
字形を表す字形コードデータ、字形色データおよび背景色データを含む表示データが入力される入力部と、
前記入力部に入力された前記字形コードデータ、前記字形色データおよび前記背景色データを用いて、前記背景色の上に多階調の色付き字形を表示するフォントイメージデータを生成するレンダリング部と、
前記多階調の色付き字形のフォントイメージデータを表示する表示部と
を有する表示装置であって、
前記レンダリング部は、
前記字形の階調データとして、複数の画素についての多階調の階調値を含む字形の階調データを生成する字形階調データ生成部と、
前記字形階調データ生成部が生成した前記字形の階調データの階調値を、前記字形を強調するように調整し、前記字形階調データ生成部が生成した前記字形の階調データとは異なる階調値の画素を含む字形の階調データを生成する階調調整部と、
前記字形の色および前記背景色を用いて、前記階調調整部により階調が調整された字形の階調データから、前記背景色の上に前記多階調の色付き字形を表示する前記フォントイメージデータを生成するフォントイメージ生成部と
を含む表示装置。
【発明の詳細な説明】
【技術分野】
【０００１】
本発明は、背景色の上に文字などの所定の字形を色付きで表示する字形のレンダリング装置および表示装置に関する。
【背景技術】
【０００２】
特許文献１は、画像の多値画像信号に対して一画素内での階調処理を施し、出力画像を得る画像処理装置を開示する。この画像処理装置は、入力画像信号から算出した画像中の注目画素のエッジ度と出力画像の変倍率に基づいて、画像中の一画素内での階調処理を制御することにより、解像度が重視される画像中の文字のエッジの再現性を得ている。
【先行技術文献】
【特許文献】
【０００３】
【特許文献１】特開平８−０９８０２６号公報
【発明の概要】
【発明が解決しようとする課題】
【０００４】
ところで、携帯電話機などの表示装置では、表示部に画像の他に文字を表示する。そして、文字を表示するために、多階調フォントが用いられる。多階調フォントは、文字を複数の階調値を用いて表現するため、２値のフォントに比べて文字の輪郭を滑らかに表現することができる。
また、多階調フォントを用いたレンダリング処理により背景色の上に色付き文字を表示する場合、表示装置は、背景色と文字色の輝度の差を等間隔に分割して複数の中間輝度を得て、この等間隔毎の複数の中間輝度を用いて文字をグラデーション表示する。
なお、レンダリングとは、数値データとして与えられた物体や図形に関する情報を、計算などにより画像化することをいう。
【０００５】
しかしながら、このように多階調フォントを用いて背景色の上に色付き文字をグラデーション表示する場合、等間隔毎の中間輝度を用いると、文字がぼやけ、文字の視認性が低下することがある。
たとえば、背景色の輝度と文字色の輝度とが近い場合、分割により得られる等間隔毎の中間輝度同士の輝度差が小さくなる。その結果、文字と背景のグラデーション部分は、小さな輝度差毎に輝度が少しずつ変化するように表示されることになるため、文字の視認性が低下する。
【０００６】
本発明は、文字などの所定の字形の色と背景色との輝度差が小さい場合でも、多階調により滑らかに表示された字形が視認しやすい字形のレンダリング装置および表示装置を提供する。
【課題を解決するための手段】
【０００７】
本発明の第１の観点の字形のレンダリング装置は、背景色の上に多階調の色付きの字形を表示するフォントイメージデータを生成する字形のレンダリング装置であって、前記字形の階調データとして、複数の画素についての多階調の階調値を含む字形の階調データを生成する字形階調データ生成部と、前記字形階調データ生成部が生成した前記字形の階調データの階調値を、前記字形を強調するように調整し、前記字形階調データ生成部が生成した前記字形の階調データとは異なる階調値の画素を含む字形の階調データを生成する階調調整部と、前記字形の色および前記背景色を用いて、前記階調調整部により階調が調整された字形の階調データから、前記背景色の上に前記多階調の色付き字形を表示するフォントイメージデータを生成するフォントイメージ生成部とを有する。
【０００８】
好適には、前記階調調整部は、前記字形階調データ生成部が生成した前記字形の階調データ中の、前記字形の色と前記背景色との間の中間色の階調値を、前記字形の色に近い色の階調値へ調整することで、字形を強調してもよい。
【０００９】
好適には、前記字形階調データ生成部は、複数の画素中の字形部分の階調値が背景部分の階調値より大きい字形の階調データを生成し、前記階調調整部は、前記字形階調データ生成部が生成した前記字形の階調データ中の、所定の階調値より値が大きい階調値の値を増やすように階調値を調整することで、字形を強調してもよい。
【００１０】
好適には、前記階調調整部は、前記字形階調データ生成部が生成した前記字形の階調データ中の、所定の階調値より値が小さい階調値の値を減らすように階調値を調整することで、字形を強調してもよい。
【００１１】
好適には、前記字形の色と前記背景色との輝度差を取得する輝度差取得部を有し、前記階調調整部は、前記輝度差が所定値以下に小さい場合に、前記字形階調データ生成部が生成した前記の字形階調データの階調値を調整してもよい。
【００１２】
好適には、前記字形の階調データにおいて各画素が取り得る複数の階調値に対して、当該複数の階調値に含まれる他の階調値を非線形に対応付けた調整テーブルを記憶する記憶部を有し、前記階調調整部は、前記字形階調データ生成部により生成された字形の階調データの階調値を、前記調整テーブルにおいて当該階調値に対応付けられた前記他の階調値に置き換えることにより、階調値を調整してもよい。
【００１３】
好適には、前記フォントイメージ生成部は、前記字形の色の階調値と前記背景色の階調値との差を、前記字形の階調データにおいて各画素が取り得る階調値の個数より１少ない数により均しく分割して、前記字形の階調データにおいて各画素が取り得る階調値の個数より２少ない数の複数の中間色の階調値を生成する中間色階調値生成部と、前記背景色の階調値、前記複数の中間色の階調値および前記字形の色の階調値を、前記字形の階調データにおいて各画素が取り得る複数の階調値の順番に配列した色差分テーブルを生成する色差分テーブル生成部と、前記字形の階調データに含まれる各画素の階調値を、前記色差分テーブルにおいて当該階調値の順番に対応付けられた色の階調値を選択して、前記色付き字形のフォントイメージデータを生成するデータ変換部とを含んでもよい。
【００１４】
好適には、前記背景色のデータおよび前記字形の色のデータは、複数の色成分の階調値を組み合わせたカラーデータであり、前記フォントイメージ生成部は、前記字形の階調データを前記色成分毎に処理し、複数の色成分からなる前記フォントイメージデータを生成してもよい。
【００１５】
本発明の第２の観点の表示装置は、字形を表す字形コードデータ、字形色データおよび背景色データを含む表示データが入力される入力部と、前記入力部に入力された前記字形コードデータ、前記字形色データおよび前記背景色データを用いて、前記背景色の上に多階調の色付き字形を表示するフォントイメージデータを生成するレンダリング部と、前記多階調の色付き字形のフォントイメージデータを表示する表示部とを有する表示装置であって、前記レンダリング部は、前記字形の階調データとして、複数の画素についての多階調の階調値を含む字形の階調データを生成する字形階調データ生成部と、前記字形階調データ生成部が生成した前記字形の階調データの階調値を、前記字形を強調するように調整し、前記字形階調データ生成部が生成した前記字形の階調データとは異なる階調値の画素を含む字形の階調データを生成する階調調整部と、前記字形の色および前記背景色を用いて、前記階調調整部により階調が調整された字形の階調データから、前記背景色の上に前記多階調の色付き字形を表示する前記フォントイメージデータを生成するフォントイメージ生成部とを含む。
【発明の効果】
【００１６】
本発明によれば、文字などの字形の色と背景色との輝度差が小さい場合でも、多階調により滑らかに表示された字形が視認しやすいものが得られる。
【図面の簡単な説明】
【００１７】
【図１】図１は、本発明の実施の形態に係る表示装置の外観構造の一例を示す図である。
【図２】図２は、図１の携帯電話機の回路構成を示すブロック図である。
【図３】図３は、図１の携帯電話機において文字のレンダリング処理を実行する場合に実現される機能を示すブロック図である。
【図４】図４は、図３のグリフデータ生成部が生成する生成グリフデータのデータ構造の一例である。
【図５】図５は、図３の調整テーブルのデータ構造例の説明図である。
【図６】図６は、図３の階調インデックス調整部が生成する変換グリフデータのデータ構造例の説明図である。
【図７】図７は、図３のフォントイメージ生成部が生成する色差分テーブルのデータ構造例の説明図である。
【図８】図８は、図３のフォントイメージ生成部が生成する色文字のフォントイメージデータのデータ構造例の説明図である。
【図９】図９は、文字のレンダリング処理の流れを示すフローチャートである。
【図１０】図１０は、比較例の色文字のフォントイメージデータのデータ構造例の説明図である。
【図１１】図１１は、図３の調整テーブルによるインデックス値（文字の階調値）の変換特性を示す図である。
【発明を実施するための形態】
【００１８】
以下、本発明の実施形態を図面に関連付けて説明する。
【００１９】
図１は、本発明の実施の形態に係る表示装置の外観構造の一例を示す図である。図１の表示装置は、具体的には、折り畳み型の携帯電話機１である。
携帯電話機１は、上部筐体２と、下部筐体３と、ヒンジ部４とを有する。ヒンジ部４は、上部筐体２と下部筐体３とを開閉可能に連結する。図１（ａ）は携帯電話機１を開いた開状態であり、図１（ｂ）携帯電話機１を閉じた閉状態である。
そして、上部筐体２には、図１（ｂ）の閉状態においては外部に露出しない面に表示部１６が配置される。また、下部筐体３には、図１（ｂ）の閉状態においては外部に露出しない面に操作部１２が配置される。
【００２０】
図２は、図１の携帯電話機１の回路構成を示すブロック図である。
携帯電話機１は、通信部１１、操作部１２、音声入出力部１３、制御部１４、記憶部１５、表示部１６、撮像部１７、およびこれらを接続するシステムバス１８を有する。
【００２１】
通信部１１は、無線通信システムを捕捉し、通信ネットワークの図示しない携帯電話機１用の基地局との間で無線通信を行い、各種のデータを送受信する。また、通信部１１は、受信データを含む信号を制御部１４へ出力し、制御部１４から送信データを含む信号が入力される。
通信部１１が基地局との間で送受するデータには、音声通話用の音声データ、送受信される電子メールのデータ、ウェブページデータなどがある。また、ウェブページデータには、携帯電話機１向けのものの他に、パーソナルコンピュータなどに向けたものがある。パーソナルコンピュータ向けのウェブページデータも、携帯電話機１で表示可能である。
そして、一般的にパーソナルコンピュータは携帯電話機１よりも高い階調表現が可能であるため、パーソナルコンピュータ向けのウェブページデータは、携帯電話機１向けのものに比べて、たとえば文字の色と背景の色とが近い色に設定されていることがある。この場合、携帯電話機１の小さな表示部１６の表示では文字を視認し難いことがある。
【００２２】
操作部１２は、たとえば電源キー、通話キー、数字キー、文字キー、発信キーなどの各種の機能が割り当てられた操作キーを有する。また、操作部１２は、これらのキーが操作者によって操作された場合、操作されたキーに対応する信号を制御部１４へ出力する。
【００２３】
音声入出力部１３は、スピーカおよびマイクロフォンに接続される。音声入出力部１３は、マイクロフォンに入力された音声をサンプリングし、音響データを含む信号を制御部１４へ出力する。また、音声入出力部１３は、制御部１４から音響データを含む信号が入力されると、音響データに基づく音声をスピーカから出力する。
【００２４】
撮像部１７は、ＣＣＤ(Charge Coupled Device)やＣＭＯＳ(Complementary Metal Oxide Semiconductor)イメージセンサなどの光電変換素子を有する。そして、撮像部１７は、光電変換素子が撮像した映像データを含む信号を制御部１４へ出力する。
【００２５】
記憶部１５は、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などにより構成される。記憶部１５は、制御部１４が実行するコンピュータのプログラム、通信部１１により送受信するデータ、表示部１６に表示するデータなどを記憶する。また、記憶部１５は、文字のレンダリング処理において、後述する図４から図８の各種のデータを記憶する。
なお、記憶部１５に記憶されるプログラムは、たとえばＣＤ−ＲＯＭ（Compact Disk Read Only Memory）などのコンピュータ読取可能な記録媒体に記憶されていたものをインストールしたものであればよい。また、プログラムは、インターネットなどの伝送媒体を介してダウンロードしてインストールしたものでもよい。
【００２６】
制御部１４は、携帯電話機１の全体的な動作を統括的に制御し、記憶部１５に格納されたプログラムを実行するコンピュータの処理部として機能する。
制御部１４は、たとえば通信部１１による通信を制御し、表示部１６による表示を制御する。また、制御部１４は、通信部１１が受信した電子メールまたはウェブページデータなどから、表示部１６に表示させる表示データを生成する。そして、制御部１４は、この表示データの生成処理において、所定の背景色の上に所定の色文字を多階調に表示するためのフォントイメージデータF_IMを生成するための文字のレンダリング処理を実行する。
【００２７】
表示部１６は、ＬＣＤ（Liquid Crystal Display Device）や有機ＥＬ（Electro-Luminescence）などを有する。表示部１６は、ＲＧＢの色成分毎に複数の画素（Pixel）がマトリックス配置されている。
そして、表示部１６は、携帯電話機１が受信した電子メールのデータまたはウェブページデータなどを表示する。表示部１６は、携帯電話機１向けのウェブページデータの他に、パーソナルコンピュータ向けのウェブページデータを表示できる。
【００２８】
ウェブページデータなどを表示する場合、具体的には、制御部１４は、ウェブページデータなどから、表示部１６の複数の画素の階調値を含む表示データを生成する。記憶部１５は、生成された表示データを所定の領域（ＶＲＡＭ領域）に記憶する。表示部１６は、記憶部１５から表示データを読み込んで表示する。
これにより、表示部１６には、電子メールまたはウェブページの内容が表示される。ウェブページデータが背景色データBG_C、文字色データCH_Cおよび文字コードデータC_CODEを含む場合、表示部１６には、所定の背景色の上に所定の色文字を多階調に表示した画面が表示される。
なお、表示部１６が表示する表示データは、表示部１６のすべての画素の階調値が更新されることの他に、一部の画素の階調値が更新されることもある。一部の画素の階調値が更新される場合としては、たとえば所定の画像の上に所定の文字を表示する場合がある。この場合、制御部１４は、文字のレンダリング処理により文字のフォントイメージデータF_IMを生成する。記憶部１５は、生成された文字のフォントイメージデータF_IMをＶＲＡＭ領域に展開する。
【００２９】
図３は、図２に示す制御部１４が文字のレンダリング処理を実行する場合に、制御部１４に実現される機能を示すブロック図である。なお、図３には、他にも、携帯電話機１の通信部１１および表示部１６と、携帯電話機１へ電子メールのデータを送信する電子メールサーバ１０２と、携帯電話機１へウェブページデータを送信するＷＷＷ（World Wide Web）サーバ１０１とが図示されている。
文字のレンダリング処理を実行する場合、制御部１４には、入力部２１と、レンダリング部２２と、出力部２３とが実現される。また、レンダリング部２２は、グリフデータ生成部２６と、階調インデックス調整部２７と、調整テーブル２８と、フォントイメージ生成部２９とを含む。
【００３０】
入力部２１は、通信部１１が受信した電子メールのデータまたはウェブページデータが入力される。入力部２１は、これらの入力データを記憶部１５に記憶させればよい。また、図３には、入力データの中の背景色データBG_C、文字色データCH_C、文字コードデータC_CODEが図示されている。これらのデータは、文字のレンダリング処理に必要なデータである。
【００３１】
背景色データBG_Cは、文字の背景色のデータであり、たとえばＲＧＢの色成分毎の階調値を組み合わせたカラーデータである。また、各色成分の階調値は、たとえば８ビットのデータである。８ビットのデータでは、２５６通りの階調値を表すことができる。
【００３２】
文字色データCH_Cは、文字の色のデータであり、たとえばＲＧＢの色成分毎の階調値を組み合わせたカラーデータである。また、各色成分の階調値は、たとえば８ビットのデータである。
【００３３】
文字コードデータC_CODEは、たとえばＪＩＳ（Japanese Industrial Standard）コードなどで記述され、文字を指定するデータである。ＪＩＳコードでは、日本語で使用する文字として、ひらがな、カタカナ、漢字などの日本語文字に対して、互いに異なるコード値が割り当てられている。
【００３４】
出力部２３は、レンダリング部２２が生成したフォントイメージデータF_IMを用いた表示データを生成し、表示部１６へ出力する。
【００３５】
レンダリング部２２のグリフデータ生成部２６は、入力部２１から表示する文字の文字コードデータC_CODEを取得する。グリフデータ生成部２６は、多階調フォントデータ５０を用いて、取得した文字コードデータC_CODEを表示するための生成グリフデータ（glyph data）GEN_Cを生成する。なお、多階調フォントデータ５０は、たとえば記憶部１５に記憶されていればよい。
【００３６】
図４は、図３のグリフデータ生成部が生成する生成グリフデータGEN_Cのデータ構造の一例である。図４の生成グリフデータGEN_Cは、ｎ行×ｍ列の画素のインデックス値（文字の階調値）で構成され、日本語のひらがな文字「う」の生成グリフデータGEN_Cである。この生成グリフデータGEN_Cは、文字を単色の複数のインデックス値で表した多階調データである。ひらがな文字「う」には、ＪＩＳコード「２４２６」が割り当てられている。
生成グリフデータGEN_Cの画素（２，４）は、文字「う」を構成するインデックス値「０ｂ」を有する。また、画素（３，６）は、文字「う」を構成するインデックス値「０ｆ」を有する。これに対して、画素（１，１）は、文字「う」の背景を構成するインデックス値「００」を有する。図４において、各インデックス値は、１６進数で表示されている。このように文字「う」のインデックス値は、「００」〜「０ｆ」のインデックス値により表現される。
【００３７】
図５に、調整テーブル２８のデータ構造の一例を示す。図５の調整テーブル２８は、第一調整テーブルＴ１と、第二調整テーブルＴ２とを有する。
【００３８】
第一調整テーブルＴ１は、「００，０１，０２，０３，０４，０５，０６，０７，０８，０９，０ａ，０ｂ，０ｃ，０ｄ，０ｅ，０ｆ」を有する。すなわち、第一調整テーブルＴ１は、１６進数の「００」〜「０ｆ」が小さい値の順番で並べられた線形のデータ構造を有する。なお、第一調整テーブルＴ１において、各値は、１６進数のインデックス値である。また、各値には、各調整テーブル２８の先頭から順番に１６進数の値「００」〜「０ｆ」が参照値として割り当てられる。
【００３９】
第二調整テーブルＴ２は、１６進数の「００，０１，０１，０２，０２，０３，０３，０４，０８，０９，０ａ，０ｃ，０ｄ，０ｄ，０ｅ，０ｆ」を有する。この第二調整テーブルＴ２では、参照値「０ｂ」にインデックス値「０ｃ」が割り当てられ、参照値「０ｃ」にインデックス値「０ｄ」が割り当てられている。このように、インデックス値「０ａ」より大きいインデックス値の値が増えている。
また、参照値「０２」にインデックス値「０１」が割り当てられ、参照値「０３」にインデックス値「０２」が割り当てられ、参照値「０４」にインデックス値「０２」が割り当てられ、参照値「０５」にインデックス値「０３」が割り当てられ、参照値「０６」にインデックス値「０３」が割り当てられ、参照値「０７」にインデックス値「０４」が割り当てられている。これにより、インデックス値「０８」より小さいインデックス値の値が減らされている。
このように、第二調整テーブルＴ２は、非線形のデータ構造を有する。
【００４０】
階調インデックス調整部２７は、入力部２１から文字の背景色データBG_Cおよび文字色データCH_Cを取得する。階調インデックス調整部２７は、下記式１〜式３を用いて、取得した背景色データBG_Cの輝度ＹＢと、文字色データCH_Cの輝度ＹＦとを演算し、さらにこれらの輝度差ＤＹを演算する。下記式１〜式３において、ＲＢは背景色の赤色成分の輝度値、ＧＢは背景色の緑色成分の輝度値、ＢＢは背景色の青色成分の輝度値、ＲＦは文字色の赤色成分の輝度値、ＧＦは文字色の緑色成分の輝度値、ＢＦは文字色の青色成分の輝度値である。なお、式１および式２は、ＩＴＵ（International Telecommunication Union）−Ｒ  ＢＴ．６０１規格に準拠した輝度値の演算式である。
【００４１】
ＹＢ＝０．２９８９１×ＲＢ＋０．５８６６１×ＧＢ＋０．１１４４８×ＢＢ  ・・・式１
ＹＦ＝０．２９８９１×ＲＦ＋０．５８６６１×ＧＦ＋０．１１４４８×ＢＦ  ・・・式２
ＤＹ＝ＹＢ−ＹＦ  ・・・式３
【００４２】
また、階調インデックス調整部２７は、上記式３で得た輝度差ＤＹが所定の閾値以上である場合、調整テーブル２８から第一調整テーブルＴ１を取得し、第一調整テーブルＴ１を用いて生成グリフデータGEN_C中の各インデックス値を変換し、変換グリフデータCVT_Cを生成する。
【００４３】
また、階調インデックス調整部２７は、上記式３で得た輝度差ＤＹが所定の閾値より小さい場合、調整テーブル２８から第二調整テーブルＴ２を取得し、第二調整テーブルＴ２を用いて生成グリフデータGEN_C中の各インデックス値を変換し、変換グリフデータCVT_Cを生成する。
【００４４】
生成グリフデータGEN_Cのインデックス値を変換する処理において、階調インデックス調整部２７は、生成グリフデータGEN_Cから取得したインデックス値を参照値に用いて、第一調整テーブルＴ１からその参照値に対応付けられたインデックス値を得て、生成グリフデータGEN_Cのインデックス値を更新する。階調インデックス調整部２７は、生成グリフデータGEN_Cのすべてのインデックス値について、インデックス値の更新処理を実行する。これにより、階調インデックス調整部２７は、変換グリフデータCVT_Cを生成する。
【００４５】
図６は、図４の生成グリフデータGEN_Cを図５の第二調整テーブルＴ２を用いて変換して得た変換グリフデータCVT_Cの一例である。図６の変換グリフデータCVT_Cは、図４の生成グリフデータGEN_Cと同様に、ｎ行×ｍ列の画素のインデックス値で構成され、各画素は「００」〜「０ｆ」のインデックス値を有する。ただし、生成グリフデータGEN_Cの画素（２，４）のインデックス値は「０ｃ」へ変更されている。このように、変換グリフデータCVT_Cは、生成グリフデータとは異なる画素のインデックス値を有する。
【００４６】
フォントイメージ生成部２９は、入力部２１から、文字の背景色データBG_Cおよび文字色データCH_Cを取得する。フォントイメージ生成部２９は、取得した色データを用いて、色成分毎に、背景色と文字色との間の中間色の中間色データを生成する。また、フォントイメージ生成部２９は、色成分毎に、生成した中間色の中間色データ、背景色データBG_Cおよび文字色データCH_Cを含む色差分テーブルCL_Tを生成する。
【００４７】
図７に、図３のフォントイメージ生成部２９が生成する色差分テーブルのデータ構造を示す。図７の色差分テーブルは、背景色の色成分の階調値が「４０」であり、文字色の色成分の階調値が「００」である場合に生成される色差分テーブルである。
図７の場合、フォントイメージ生成部２９は、１６進数の階調値「００」と階調値「４０」との間を、グリフデータが取り得る階調値の個数（１６個）から１を引いた値（ここでは１５個）で等分した中間色データを生成する。ここでは、１４個の１６進数の「３Ｂ」、「３７」、「３３」、「２Ｅ」、「２Ａ」、「２６」、「２２」、「１Ｄ」、「１９」、「１５」、「１１」、「０Ｃ」、「０８」、「０４」を生成する。つまり、背景色の階調値と文字色の階調値との差を、インデックス値が取り得る値より１つ少ない数で均等に分割し、インデックス値が取り得る値より１つ少ない数の中間色データを生成する。
【００４８】
また、フォントイメージ生成部２９は、生成した中間色の階調値、背景色の階調値および文字色の階調値を、背景色の色成分の階調値を先頭データとして階調値が順番に減少するように配列し、図７の色差分テーブルCL_Tを生成する。また、色差分テーブルCL_Tの各階調値には、先頭から順番に１６進数の値０〜ｆが参照値として割り当てられる。
また、フォントイメージ生成部２９は、生成した色差分テーブルCL_Tを用いて、変換グリフデータCVT_Cから、背景色の上に色文字を多階調に表示するフォントイメージデータF_IMを生成する。
【００４９】
図８は、図３中のフォントイメージ生成部２９が生成するフォントイメージデータF_IMのデータ構造の一例である。図８のフォントイメージデータF_IMは、図７の色差分テーブルCL_Tを用いて、図６の変換グリフデータCVT_Cから生成したデータである。また、図８は、背景色の上に色文字「う」を表示するためのフォントイメージデータF_IMである。
フォントイメージ生成部２９は、図６の変換グリフデータCVT_Cの各画素のインデックス値を取得する。また、フォントイメージ生成部２９は、取得したインデックス値を参照値として用い、図７の色差分テーブルから参照値に対応する階調値を取得する。たとえば、図８の変換グリフデータCVT_Cの画素（２，５）のインデックス値「０８」を取得した場合、色差分テーブルの９番目の階調値「１Ｄ」を取得する。また、フォントイメージ生成部２９は、変換グリフデータCVT_Cのすべての画素について、インデックス値を階調値へ更新する処理を実行する。これにより、フォントイメージ生成部２９は、変換グリフデータCVT_CからフォントイメージデータF_IMを生成する。
【００５０】
次に、文字のレンダリング処理について説明する。
【００５１】
図９は、文字のレンダリング処理の流れを示すフローチャートである。
通信部１１がウェブページデータなどを受信すると、入力部２１は、通信部１１が受信したデータを記憶する。入力部２１に表示する文字の文字コードデータC_CODEが記憶されると、グリフデータ生成部２６は、入力部２１から文字コードデータC_CODEを取得する。文字コードデータC_CODEを取得すると、グリフデータ生成部は、多階調フォントデータ５０を用いて、図４に例示するように、文字を表示するための複数のインデックス値を含む生成グリフデータGEN_Cを生成する（ＳＴ１）。
【００５２】
グリフデータ生成部２６により生成グリフデータGEN_Cが生成されると、階調インデックス調整部２７は、入力部２１から文字の背景色データBG_Cと文字色データCH_Cとを取得し、上述した式１から式３を用いて輝度差DYを演算する（ＳＴ２）。
【００５３】
輝度差DYを演算した後、階調インデックス調整部２７は、輝度差DYが所定の閾値以上であるか否かを判断する（ＳＴ３）。そして、輝度差が所定の閾値以上である場合、階調インデックス調整部２７は、調整テーブル２８から、第一調整テーブルＴ１を取得する（ＳＴ４）。また、輝度差DYが所定の閾値より小さい場合、階調インデックス調整部２７は、調整テーブル２８から、第二調整テーブルＴ２を取得する（ＳＴ５）。
【００５４】
調整テーブル２８から第一調整テーブルＴ１または第二調整テーブルＴ２を取得した後、階調インデックス調整部２７は、取得した調整テーブル２８を用いて、生成グリフデータGEN_Cから変換グリフデータCVT_Cを生成する（ＳＴ６）。
たとえば輝度差DYが所定の閾値以上である場合、階調インデックス調整部２７は、第一調整テーブルＴ１を用いて変換グリフデータCVT_Cを生成する。この場合、図４の生成グリフデータGEN_Cと同じインデックス値を含む変換グリフデータCVT_Cが生成される。
また、輝度差DYが所定の閾値より小さい場合、階調インデックス調整部２７は、第二調整テーブルＴ２を用いて変換グリフデータCVT_Cを生成する。この場合、図６の変換グリフデータCVT_Cが生成される。
【００５５】
階調インデックス調整部２７により変換グリフデータCVT_Cが生成されると、フォントイメージ生成部２９は、入力部２１から文字の背景色データBG_Cおよび文字色データCH_Cを取得し、色成分毎に、背景色と文字色との間の複数の中間色のデータを生成する（ＳＴ７）。また、フォントイメージ生成部２９は、色成分毎の色差分データCL_Tを生成する（ＳＴ８）。
たとえば、文字色データCH_Cが黒色［００，００，００］（＝［Ｒ，Ｇ，Ｂ］）のデータであり、文字の背景色データBG_Cが文字色と色差が小さい黒に近い灰色［４０，４０，４０］のデータである場合、フォントイメージ生成部２９は、各色成分の中間色データとして、「０４」、「０８」、「０Ｃ」、「１１」、「１５」、「１９」、「１Ｄ」、「２２」、「２６」、「２Ａ」、「２Ｅ」、「３３」、「３７」、「３Ｂ」を生成する。また、フォントイメージ生成部２９は、背景色データ、中間色データおよび文字色データを配列し、色成分毎に図７の色差分データCL_Tを生成する。
【００５６】
色差分データCL_Tを生成した後、フォントイメージ生成部２９は、色成分毎の色差分データCL_Tを用いて、変換グリフデータCVT_Cから、色成分毎のフォントイメージデータF_IMを生成する（ＳＴ９）。
たとえば、色成分毎の色差分データCL_Tが図７のデータであり、変換グリフデータCVT_Cが図６の変換グリフデータCVT_Cである場合、フォントイメージ生成部２９は、色成分毎に図８のフォントイメージデータF_IMを生成する。
【００５７】
フォントイメージ生成部２９は、生成したフォントイメージデータF_IMを出力部２３へ出力する。出力部２３は、フォントイメージデータF_IMを用いた表示データを生成する。表示部１６は、フォントイメージデータF_IMを含む表示データによる画像を表示する。
これにより、表示部１６には、たとえば通信部１１が受信したウェブページが表示される。また、ウェブページに含まれる文字は、指定された背景色の上に、指定された文字色で多階調に表示される。また、文字のグリフデータのインデックス値（文字の階調値）は図５の第二調整テーブルＴ２により非線形に変換されているため、背景色と文字色との輝度差DYが小さいにもかかわらず、文字の輪郭や骨格が強調して表示される。その結果、表示された文字がぼやけてしまうことは無く、多階調により文字を滑らかに表示し、しかも、文字の視認性を確保できる。
【００５８】
図１０に、比較例のフォントイメージデータF_IMを示す。図１０のフォントイメージデータF_IMは、フォントイメージ生成部２９が図４の生成グリフデータGEN_Cから生成したデータである。
図８の本実施の形態のフォントイメージデータF_IMと比較する。
そして、図８の画素（２，４）の階調値は「０ｃ」であり、図１０の同じ画素の階調値「１１」と比べた場合、値が小さくなっている。黒色が「００」であるから、本実施の形態での画素（２，４）の灰色は、図１０と比べてより黒色に近い。よって、隣接する画素、たとえば画素（３，５）の階調値「０４」との階調値差（輝度差DY）が小さくなり、文字の骨格がはっきりする。
また、図８の画素（２，６）の階調値は「３７」であり、図１０の同じ画素の階調値「２ｅ」と比べた場合、値が大きくなっている。黒色が「００」であるから、本実施の形態での画素（２，６）の灰色は、図１０と比べてより白色に近い。よって、隣接する画素、たとえば画素（３，６）の階調値「００」との階調値差（輝度差DY）が大きくなり、文字の輪郭がはっきりする。
【００５９】
以上のように、本実施の形態では、背景色の輝度と文字色の輝度との輝度差DYが小さい場合でも、文字を強調するようにインデックス値（文字の階調値）を調整し、生成グリフデータGEN_Cとは異なるインデックス値（文字の階調値）の画素を含む変換グリフデータCVT_Cを生成する。よって、文字を多階調により滑らかに表示し、しかも、背景と文字とを明確に区別した表示ができる。
【００６０】
また、図６の変換グリフデータCVT_Cと、図４の生成グリフデータGEN_Cとを比較した場合、所定の階調値「ａ」より大きいインデックス値の値が増えている。また、所定の階調値「８」より小さいインデックス値の値が減っている。これにより、図６の変換グリフデータCVT_Cでは、図４の生成グリフデータGEN_Cと比べて、文字色へ変換されるインデックス値の割合が増えている。
【００６１】
また、本実施の形態では、調整テーブル２８を用い、生成グリフデータGEN_Cのインデックス値を、調整テーブル２８中の要素を選択するための参照値として利用する。よって、変換するための計算量を少なくすることができる。
【００６２】
また、本実施の形態では、調整テーブル２８を用いているので、この調整テーブル２８を変更するだけで、フォントイメージの輝度を調整することができる。
【００６３】
また、本実施の形態では、線形変換用の第一調整テーブルＴ１と非線形変換用の第二調整テーブルＴ２との複数の調整テーブル２８を用い、文字と背景との輝度差DYが大きい場合と小さい場合とで文字のグラデーションを変更することができる。具体的には、文字と背景との輝度差DYが小さい場合に、非線形変換用の第二調整テーブルＴ２を用いてインデックス値を非線形に変換している。よって、携帯電話機１を使用する様々なシチュエーションにおいて、文字の視認性を高めるように調整できる。
【００６４】
以上の実施の形態は、本発明の好適な実施の形態の例であるが、本発明はこれに限定されるものではなく、各種の変形または変更が可能である。
【００６５】
たとえば、上記各実施形態では、文字のレンダリング装置が携帯電話機１に組み込まれているが、文字のレンダリング装置は、ＰＤＡ（Personal Data Assistant）、携帯ゲーム機器などの表示装置に組み込まれてもよい。
【００６６】
図１１は、調整テーブル２８によるインデックス値（文字の階調値）の変換特性を示す図である。図１１の横軸は、階調インデックス調整部２７へ入力される生成グリフデータGEN_Cの入力インデックス値であり、縦軸は、階調インデックス調整部２７から出力される変換グリフデータCVT_Cの出力インデックス値である。
そして、図１１には、第一調整テーブルＴ１の変換特性曲線［Ｃ１］と、第二調整テーブルＴ２の変換特性曲線［Ｃ２］とが記述されている。第一調整テーブルＴ１は、インデックス値を線形変換するため、その変換特性曲線［Ｃ１］は、４５度の直線になる。これに対して、第二調整テーブルＴ２は、インデックス値「０ａ」以上の値を増やし、インデックス値「０８」以下の値を減らすので、その変換特性曲線［Ｃ２］は、変換特性曲線［Ｃ１］に沿った略Ｓ字形状の曲線になる。
【００６７】
なお、調整テーブル２８の第二調整テーブルＴ２の変換特性曲線は、変換特性曲線［Ｃ２］以外の非線形の変換特性曲線であってもよい。たとえば、図１１に示す変換特性曲線［Ｃ３］、または変換特性曲線［Ｃ４］であってもよい。
図１１の変換特性曲線［Ｃ３］は、所定値以上のインデックス値を、変換特性曲線［Ｃ２］よりも大きなインデックス値へ変換し、所定値より小さいインデックス値を、変換特性曲線［Ｃ２］よりも小さなインデックス値へ変換する。その結果、変換特性曲線［Ｃ２］で変換した場合に比べて、所定のインデックス値（たとえば「０８」）の上下において急峻に変化する特性曲線となり、フォントイメージ生成部２９において、中間色データへ変換されるインデックス値の画素が減る。また、フォントイメージ生成部２９において、文字色データへ変換されるインデックス値の画素が増える。
図１１の変換特性曲線［Ｃ４］は、所定値以上のインデックス値を、変換特性曲線［Ｃ３］よりも大きなインデックス値へ変換する。また、変換特性曲線［Ｃ４］の所定値は、変換特性曲線［Ｃ２］、［Ｃ３］の所定値より小さい。その結果、変換特性曲線［Ｃ２］、［Ｃ３］で変換した場合に比べて、フォントイメージ生成部２９において、中間色データへ変換されるインデックス値の画素が減る。また、フォントイメージ生成部２９において、文字色データへ変換されるインデックス値の画素が増える。
【００６８】
また、上記各実施形態では、文字のレンダリング装置は、日本語のひらがな文字のグリフデータを生成する場合に、このひらがな文字のグリフデータを変換している。この他にも、文字のレンダリング装置は、日本語のカタカナ文字、漢字、アルファベットなどの他の文字のグリフデータを生成する場合に、これらの文字のグリフデータを変換してもよい。また、文字のレンダリング装置は、たとえば絵文字などの本来の文字ではないが複数の通信機器において共通のコードに対応付けられた所定の字形のグリフデータを生成する場合に、この所定の字形のグリフデータを変換してもよい。
【符号の説明】
【００６９】
１・・・携帯電話機（表示装置）、１５・・・記憶部、１６・・・表示部、２１・・・入力部、２２・・・レンダリング部、２６・・・グリフデータ生成部（字形階調データ生成部）、２７・・・階調インデックス調整部（輝度差取得部、階調調整部）、２８・・・調整テーブル、２９・・・フォントイメージ生成部（中間色階調値生成部、色差分テーブル生成部、データ変換部）、５０・・・多階調フォントデータ、ＢＧ＿Ｃ・・・背景色データ、Ｃ＿ＣＯＤＥ・・・文字コードデータ（字形コードデータ）、ＣＨ＿Ｃ・・・文字色データ（字形色データ）、ＣＬ＿Ｔ・・・色差分テーブル、ＤＹ・・・輝度差、Ｆ＿ＩＭ・・・フォントイメージデータ（色付き字形のフォントイメージデータ）、ＧＥＮ＿Ｃ・・・生成グリフデータ（調整前の字形の階調データ）、ＣＶＴ＿Ｃ・・・変換グリフデータ（調整後の字形の階調データ）、Ｔ１・・・第一調整テーブル（線形調整テーブル）、Ｔ２・・・第二調整テーブル（非線形調整テーブル）
【図１】
2010191224.tif 000003
【図２】
2010191224.tif 000004
【図３】
2010191224.tif 000005
【図４】
2010191224.tif 000006
【図５】
2010191224.tif 000007
【図６】
2010191224.tif 000008
【図７】
2010191224.tif 000009
【図８】
2010191224.tif 000010
【図９】
2010191224.tif 000011
【図１０】
2010191224.tif 000012
【図１１】
2010191224.tif 000013